(57)【要約】【課題】正規のカードを抜き取り他のカードに差し替えるような不正をすることが困難なカード封入体とすることを課題とする。【解決手段】対向する１対のカード台紙と、該１対のカード台紙の間に設けられたカード封入部と、該カード封入部の周囲に設けられ１対のカード台紙が接着又は圧着部されている接着又は圧着部とを備え、カード封入部には情報が印刷又は印字されたカードが封入されており、該１対のカード台紙のうち、一方の台紙に窓部を設けてなり、該窓部の内側には窓部を覆うフィルムが形成されており、フィルムと台紙はヒートシールもしくは粘着剤により貼り合わされていることを特徴とするカード封入体とする。【選択図】図１
2017210260.tif 000002
【特許請求の範囲】
【請求項１】
対向する１対のカード台紙と、該１対のカード台紙の間に設けられたカード封入部と、該カード封入部の周囲に設けられ１対のカード台紙が接着又は圧着部されている接着又は圧着部とを備え、
カード封入部には情報が印刷又は印字されたカードが封入されており、
該１対のカード台紙のうち、一方の台紙に窓部を設けてなり、該窓部の内側には窓部を覆うフィルムが形成されており、フィルムと台紙はヒートシールもしくは粘着剤により貼り合わされていることを特徴とするカード封入体。
【請求項２】
前記フィルムが光学フィルムからなることを特徴とする請求項１に記載のカード封入体。
【請求項３】
前記フィルムが脆性フィルムからなることを特徴とする請求項１に記載のカード封入体。
【請求項４】
前記フィルムが裏面に再剥離可能な弱粘着層を有するフィルムからなり、カード封入体に封入されたカードとフィルムがフィルムの弱粘着層により固定されていることを特徴とする請求項１に記載のカード封入体。
【請求項５】
前記フィルムとカード台紙を跨ぐ連続した印刷層を有することを特徴とする請求項１〜４の何れかに記載のカード封入体。
【発明の詳細な説明】
【技術分野】
【０００１】
本発明は、カードを封入したカード封入体に関する。
【背景技術】
【０００２】
カードをユーザーに送付する際や店頭で販売する際、カードを封入して送付・販売されている。例えば、特許文献１に記載されているような台紙の間にカードを挟み、封入した構造のものがある。カードの固定としては、台紙に粘着剤などで固定する方法や、特許文献２に記載されているような、台紙のカードの角部の位置に対応する部分に切欠きを設け、この切欠きにカードを挟んで固定する方法等が知られている。また、特許文献３に記載されているような、カードを封入した後にカードに記載された情報を視認するために封入体の台紙に窓部を設けた構成も知られている。またダイレクトメール等においてもカードを貼り付けた台紙を封入した袋体に窓部を設けた構成が知られている。
【０００３】
しかし、窓部を有するカード封入体は通常糊などにより貼りあわせされており、比較的容易に剥がすことが可能である。そのため、近年偽造団等により窓部分から定規やヘラ等を差し込み台紙の接着部分を剥がし、正規のカードを取り出して他のカードに差し替えて再び台紙を接着・圧着して封入するという不正や、インターネット決済などで使用するシリアルナンバーを購入前に台紙の接着部分を剥がすことで確認し、ユーザーが購入したことを確認したと同時に決済を行われてしまう可能性がある。具体的には図３（ａ）、（ｂ）に示すように、窓部５から裏側台紙１１とフィルム１４の間にヘラ２０を差し込み、ヘラを侵入させていき表側台紙１１と裏側台紙１２の接着部分を剥離し、カード２を取り出した後他のカードを入れ再度封止するという方法である。このように剥がすと封入台紙の端部からヘラなどを入れて剥がす場合に比べきれいにはがせるからである。
【先行技術文献】
【特許文献】
【０００４】
【特許文献１】特開２０１２−０７６３２１号公報
【特許文献２】特開２００６−２８１５４６号公報
【特許文献３】特開２０１５−０３９７７１号公報
【発明の概要】
【発明が解決しようとする課題】
【０００５】
そこで本発明は、正規のカードを抜き取り他のカードに差し替えるような不正をすることが困難なカード封入体とすることを課題とする。
【課題を解決するための手段】
【０００６】
本発明は、対向する１対のカード台紙と、該１対のカード台紙の間に設けられたカード封入部と、該カード封入部の周囲に設けられ１対のカード台紙が接着又は圧着部されている接着又は圧着部とを備え、カード封入部には情報が印刷又は印字されたカードが封入されており、該１対のカード台紙のうち、一方の台紙に窓部を設けており、該窓部の内側には窓部を覆うフィルムが形成されており、フィルムと台紙はヒートシール、もしくは粘着剤により貼り合わされていることを特徴とするカード封入体とする。
【０００７】
また、フィルムが光学フィルムからなることを特徴とする。
【０００８】
また、フィルムが脆性フィルムからなることを特徴とする。
【０００９】
また、フィルムが裏面に再剥離可能な弱粘着層を有するフィルムからなり、カード封入体に封入されたカードとフィルムがフィルムの弱粘着層により固定されていることを特徴とする。
【００１０】
また、フィルムとカード台紙を跨ぐ連続した印刷層を有することを特徴とする。
【発明の効果】
【００１１】
本発明によれば、正規のカードを抜き取り他のカードに差し替えや決裁に必要なシリアルナンバーの視認による不正をすることが困難なカード封入体とすることができる。
【図面の簡単な説明】
【００１２】
【図１】本発明のカード封入体の一例を示す概略説明図である。
【図２】本発明のカード封入体の一例を示す断面説明図である。
【図３】不正なカード差し替えを説明した説明図である。
【図４】本発明のカード封入体に用いる台紙の一例を示す概略説明図である。
【発明を実施するための形態】
【００１３】
以下に、本発明を説明する。
本発明のカード封入体は１対のカード台紙（表側台紙と裏側台紙）の間にカードを挟み、カードの周囲を封止した構造である。
図１に本発明のカード封入体の概略図であってカード封入体を裏面からみた概略図である。図１において、カード封入体１の内部にカード２が封入される。カードの周囲は接着又は圧着部３により表裏の台紙が貼りあわされてなる。そして接着又は圧着部３の内側にカード封入部４を備え、カード封入部４にカード２が封入される。カード２には情報が印刷又は印字されており、カード封入体１にはカードの情報を視認するための窓部５を備える。
カード封入体１からカード２を取り出す時にカード２をとりやすくするため切取線６、７やつまみ部８を設けることができる。また、店舗等でカードを販売する際にフックなどに吊り下げるための鍵穴部１０を設けてもよい。さらに、購入後に贈答する場合など、意匠性を向上させるため、鍵穴部を除去するための切取線９を設けてもよい。なお、金額などの情報は切取線９より上側（鍵穴部１０が設けられている領域）に設けることができる。
【００１４】
図２に本発明のカード封入体の断面図を示す。
表側カード台紙１１と裏側カード台紙１２の間にカード２が封入されてなり、表側カード台紙１１と裏側カード台紙１２は、カードが封入されているカード封入部４の周囲を接着又は圧着部３により貼りあわされている。
カード２には情報が印刷又は印字されており、裏側カード台紙１２にはカード２の情報を視認するための窓部５を備える。窓部５には窓部の内側にカードを保護するためのフィルム１３を備える。フィルム１３と窓部周囲の台紙はヘラなどを差し込んで窓部から台紙を剥がすことを困難にするため、ヒートシール部５１により固定されている。
【００１５】
表側カード台紙１１、裏側カード台紙１２としては、例えば厚紙、上質紙、積層紙、合成紙、コート紙、ボール紙、段ボール材等の紙材や樹脂材を用いることができる。
裏側カード台紙１２には、カード２の情報を視認するための窓部５が形成されている。窓部５はカード２の情報が視認できる大きさであれば特に限定するものではない。
表側カード台紙１１、裏側カード台紙１２にはそれぞれ装飾用または説明用等の印刷・印字を施してもよい。
なお、通常表側カード台紙１１は高意匠性の絵柄印刷を全面に設けることが多いため、窓部は裏側カード台紙１２に設けた例を示しているが、表側カード台紙１１に窓部を設けても構わない。
【００１６】
カード２としては、少なくとも情報が印字・印刷されたカードを用いる。情報としては、特に限定するものではないがシリアルナンバーなど台紙に封入した後に確認が必要な情報を想定している。またカード２は、機械読取可能な接触式のＩＣカードや非接触式のＩＣカード、磁気カード、二次元バーコードやバーコード、認識用コード等のコードが印字されたカードなどを用いることができる。
カードの材質としては、例えばポリエチレンテレフタレート、ポリ塩化ビニル、ポリカーボネート、非晶質ポリエステル、紙材などがあげられる。
カードの固定は台紙に剥離が可能な弱粘着剤により固定するか、図４に示すような一方の台紙にカード固定用切込１５設け、この固定用切込１５設けにカードを差し込むことにより固定することができる。
【００１７】
裏側カード台紙１１（又は表側カード台紙１２）には窓部５が設けられている。窓部はカード封入部に対応する位置に設けられ、カードに印刷・印字された情報を視認できるようにするものである。窓部５は打ち抜き刃等で打ち抜くことで形成できる。窓部の大きさはカード２の情報を視認できるものであれば特に限定するものではない。なお、窓部はカード台紙を貼りあわせてカード封入体とする前に設けておく。
【００１８】
そして窓部５には偽造防止用のフィルム１３が設けられている。フィルム１３は、窓部の内側（カード封入体の内側）を覆うようにヒートシール部５１によりカード台紙と貼り合わされる。このようにすることで、ヘラ等により容易に剥がせなくすることができる。
さらに、フィルムとして、仮に剥がされたとしても剥がされたことが判別できるようなフィルムや再貼りあわせが困難なフィルム、すなわちカード差替防止・牽制可能なフィルムを用いることもできる。
【００１９】
台紙とフィルムの貼りあわせは、窓部周囲にヒートシール材が形成された台紙又は縁部にヒートシール材が形成されたフィルムを用い、重ねたのちに窓部周囲に熱圧をかけて貼りあわせることができる。また、窓部周囲に接着剤を塗布し貼りあわせてもよい。
ヒートシール材としては、変性スチレン系共重合樹脂が好ましい。
また、圧着する際の圧着温度に関しては、１３０−１５０度の間にて圧着することが好ましく、低温になると接着強度が不十分となり、高温になると台紙への熱による負荷がかかるため好ましくない。
【００２０】
また、不正にフィルムを剥がす場合、接着部分に熱をかけながらヘラを差し込んだりすることも考えられる。そこで、ホログラムや散乱素子などの微細構造による光学効果を備えた光学フィルムを用いてもよい。微細構造による光学効果を示す素子は、微細な構造に起因する光の回折、干渉、散乱によって光学効果を発現する。このような光学効果を有する素子は、熱をかけながら剥離しようとする時、微細構造が壊れたり変化するため、光学効果が失われたり、視認性が変化起こるため、何らかの手が加えられたことを検知することができるものである。なお、ホログラムとしてはレリーフホログラム、体積型ホログラムなどがあげられ、その他光学素子としては微細構造により散乱光を表示するものや可変又は固定色を表示するものなどがあげられる。
具体的には、支持体上に微細構造形成層を設けたフィルムを用いることができる。支持体としてはポリエチレンテレフタレート等の樹脂フィルムを用いることができる、微細構造形成層はアクリル系樹脂などを用い、レーザー描画や、微細構造が形成された版を用いて成型することができる。
光学フィルムは窓部に配置した後、窓部周囲のカード台紙と重なった部分において貼りあわせをすることができる。
【００２１】
また、フィルム１３として、脆性フィルムを用いてもよい。脆性フィルムはヘラなどを差し込んだ際にフィルム自体が破壊されるため、再利用されることを防ぐことができる。脆性フィルムとしては、複数の切れ込みを有し剥がそうとすると切れ込みから亀裂が進行して破壊されるフィルムや、パターン状の接着剤又はパターン状に設けた接着強度の異なる複数の接着剤により貼りあわせたフィルムで剥がそうとするとパターンに沿って破壊されるフィルムや、複数の特製の異なる材料から形成されたフィルムで剥がそうとすると材料間で剥離し破壊されるフィルム等を用いることができる。
脆性フィルムは窓部に配置した後、窓部周囲のカード台紙と重なった部分において貼りあわせをすることができる。具体的には窓部周囲に感熱接着剤又は感圧接着剤が形成された台紙又は縁部に感熱接着剤又は感圧接着剤が形成されたフィルムを用い、重ねたのちに窓部周囲に熱又は圧力をかけて貼りあわせることができる。また、窓部周囲に接着剤を塗布し貼りあわせてもよい。なお、これらの接着剤は公知のものを用いることができる。
【００２２】
また、溶剤発色性フィルムを用いてもよい。カードを差し替える際、接着剤を溶解する溶剤を用いて剥がすことも考えられるが、このような溶剤に反応して発色をするフィルム又は溶剤発色層を備えたフィルムを用いてもよい。
【００２３】
また、フィルム１３として、裏面に再剥離可能な弱粘着層を有するフィルムを用いてもよい。弱粘着層により封入したカードとフィルムが接着されるため、例えば窓部から台紙を剥離して台紙の一辺を剥がしてカードを抜き取ろうとしても窓部に張り付いて容易にとれないため不正な差し替えをけん制することが可能となる。特にカードが台紙に弱粘着剤により固定されている場合はカードの表裏が固定されているため、より取り出しが困難となる。なお、台紙の三辺を剥がせば台紙をめくって容易にカードを剥がしとることが可能であるが、この場合はきれいに再封入することが困難となる。
【００２４】
また、カード台紙と窓部に設けた偽造防止フィルムを跨ぐ連続した印刷層を設けることもできる。万が一うまくフィルムを剥がして再利用しようとした場合でも連続した印刷を施すことでフィルムと台紙の印刷のずれにより一度剥離したことを検知することができる。印刷としては線状の模様などがあげられるが特に限定するものではない。
【００２５】
カード封入体は、表側カード台紙１１と裏側カード台紙１２（窓部を形成した後の裏側カード台紙１１）を、カード封入部４の周囲の接着又は圧着部３にて貼りあわせた構造である。台紙の貼りあわせは感熱接着剤又は感圧接着剤などの接着又は粘着剤が形成された台紙を用い、表側カード台紙１１と裏側カード台紙１２を重ねたのちに接着又は圧着部３に熱および圧力をかけて貼りあわせることができる。また、台紙の接着又は圧着部３だけに接着剤を塗布し貼りあわせてもよい。なお、これらの接着剤は公知のものを用いることができる。
また、表側台紙と裏側台紙は１枚の台紙から形成されていてもよく、その場合は１辺を折ることにより重ねて一方を表側台紙、他方を裏側台紙として用いることができる。
【００２６】
カード封入体からカードをとりやすくするため、一方のカード台紙に切取線６を設けることができる。切取線６は封入したカードの周囲の少なくとも一部を囲うように設けることができる。切取線６は例えばカード台紙の、カードの１辺においてカードの長さの１／２以上程度の長さに対応する部分に切り込みを入れることができる。切り込みを入れる部分はカード封入部の外周近傍に設けることができる。典型的には図１に示すようにカードの左辺、上辺の２／３程度の長さに対応する部分に切れ込みを設けることができる。切れ込みとしては、刃線状、点線状、ジッパー形状などがあげられる。これらの切取線６は打ち抜き刃による打ち抜き加工やレーザー加工などで形成できる。
【００２７】
また、カードをとりやすくするための切取線６から切り取るためのきっかけを与えるにつまみ部８を設けることができる。つまみ部８を設けることでつまみ部８をつまんで切取線６に沿って切り離すことが容易となる。つまみ部８は凸形状に切り込みを入れることができる。またつまみ部８は２辺の切取線６の間の角部に設けることが好ましい。
さらにつまみ部をつまみやすくするために、カード封入体１の端部からつまみ部８に接続される折曲線７を設けることができる。つまみ部接続用の折曲線７を設けることで、カード封入体１の端部から折曲線７に沿って表カード台紙１１面側に折り曲げると、つまみ部８が露出する。つまみやすくなった状態でつまみ部８をつまむことで、そのまま切取線６に沿って台紙を切り離すことができる。
これらの折曲線７、つまみ部８は打ち抜き刃による打ち抜き加工やレーザー加工などで形成できる。
【符号の説明】
【００２８】
１    カード封入体
１１  表側カード台紙
１２  裏側カード台紙
１３  フィルム
１４  フィルム
１５  カード固定用切込
２    カード
３    接着又は圧着部
４    カード封入部
５    窓部
５１  ヒートシール部(接着部)
６    切取り線
７    折曲線
８    つまみ部
９    切取線
１０  鍵穴部
２０  ヘラ
【図１】
2017210260.tif 000003
【図２】
2017210260.tif 000004
【図３】
2017210260.tif 000005
【図４】
2017210260.tif 000006